(57)【要約】【課題】採光部の形成が可能な建物の骨組であって、比較的大きな曲げ強度を有する建物の骨組を提供すること。【解決手段】建物の骨組は、縦方向及び横方向に間隔を置いて配置された少なくとも４本の柱と、縦方向及び横方向の一方に伸び、隣接する２本の柱を連結する第１の大梁と、縦方向及び横方向の他方に伸び、隣接する２本の柱を連結する第２の大梁とを含む。前記第１の大梁の頂部は中央部分及び２つの端部分を有し、各端部分は前記中央部分から外方に向けて梁高さが漸増するように傾斜しており、前記第２の大梁の頂部は前記第１の大梁の頂部と同じ高さに位置しかつほぼ水平である。【選択図】図１
2007270504.tif 000002
【特許請求の範囲】
【請求項１】
縦方向及び横方向に間隔を置いて配置された少なくとも４本の柱と、縦方向及び横方向の一方に伸び、隣接する２本の柱を連結する第１の大梁と、縦方向及び横方向の他方に伸び、隣接する２本の柱を連結する第２の大梁とを含む建物の骨組であって、前記第１の大梁の頂部は中央部分及び２つの端部分を有し、各端部分は前記中央部分から外方に向けて梁高さが漸増するように傾斜しており、前記第２の大梁の頂部は前記第１の大梁の頂部と同じ高さに位置しかつほぼ水平である、建物の骨組。
【請求項２】
前記第２の大梁は前記第１の大梁と同じ梁高さを有する、請求項１に記載の建物の骨組。
【請求項３】
前記第１及び前記第２の大梁の各底部は水平であるか又は端部分が傾斜している、請求項１に記載の建物の骨組。
【請求項４】
前記第２の大梁を連結する少なくとも１本の小梁を含み、該小梁の頂部はその中央部分から外方に向けて梁高さが漸増するように傾斜する端部分を有する、請求項１に記載の建物の骨組。
【請求項５】
前記第１の大梁は上弦材及び下弦材と前記上弦材及び前記下弦材を連結する少なくとも１本の斜材とを含み、前記上弦材は前記下弦材に平行な中央部分と該中央部分に対して傾斜する端部分とからなる、請求項１に記載の建物の骨組。
【請求項６】
前記第２の大梁は水平な上弦材と該上弦材に平行な下弦材と前記上弦材及び前記下弦材を連結する少なくとも１本の斜材とを含む、請求項１に記載の建物の骨組。
【請求項７】
前記小梁は上弦材及び下弦材と前記上弦材及び前記下弦材を連結する少なくとも１本の斜材とを含み、前記上弦材は前記下弦材に平行な中央部分と該中央部分に対して傾斜する端部分とからなる、請求項４に記載の建物の骨組。
【請求項８】
前記第１の大梁の頂部の一方の端部分は建物の採光部を形成する、請求項１に記載の建物の骨組。
【発明の詳細な説明】
【技術分野】
【０００１】
本発明は、建物の骨組、特に、採光部の形成が可能な建物の骨組に関する。
【背景技術】
【０００２】
工場のような比較的大規模な建物には、該建物内の明るさを確保するために、採光部の形成が可能な骨組が採用されている。この採光部は、一定の方向、特に北側に向けられることが多く、これにより日差しが弱くかつ一日中明るさの変化が少ない光を取り入れることができる。
【０００３】
従来、採光部の形成が可能な建物の骨組として、鋸屋根を有する建物の骨組がある（特許文献１参照）。図４に示す例では、鋸屋根を有する建物の骨組１００は、間隔を置いて配置された複数の柱１０２と、隣接する２本の柱１０２を連結する梁１０４とを含む。梁１０４の梁高さは、鋸歯のような形状の屋根を形成するように、梁１０４の一端部から他端部に向けて漸増する。
【特許文献１】特開昭６２−１１１０５８号公報
【０００４】
鋸屋根を有する建物の骨組１００は、隣接する２つの梁１０４ａ、１０４ｂを有し、柱１０２は、一方の梁１０４ａの頂部１０６と他方の梁１０４ｂの頂部１０８との間に、採光部１１０を形成することができる。採光部１１０は一定の方向に向いているため、採光部１１０を経て一定の方向からの光１１２を取り入れることができる。図示の例では、柱１０２には、一方の梁１０４ａの頂部１０６と他方の梁１０４ｂの頂部１０８との間に、採光窓１１４を有する壁部材１１６が取り付けられ、各梁１０４ａ、１０４ｂの頂部１０６、１０８には屋根板１１８が取り付けられる。
【発明の開示】
【発明が解決しようとする課題】
【０００５】
ところで、鋸屋根を有する建物の骨組１００は、梁１０４の一端部の梁高さが比較的低いため、梁１０４の前記一端部の曲げ強度は比較的小さいという問題がある。なお、梁１０４の前記一端部の梁高さを高くすると、その分採光面積が小さくなるという問題が生じる。
【０００６】
本発明の目的は、採光部の形成が可能な建物の骨組であって、比較的大きな曲げ強度を有する建物の骨組を提供することである。
【課題を解決するための手段】
【０００７】
本発明は、前記目的を達成するために、建物の採光面積を低減させることなく、前記梁の各端部の梁高さが比較的高くなるように前記梁の形状を変更する。
【０００８】
本発明に係る建物の骨組は、縦方向及び横方向に間隔を置いて配置された少なくとも４本の柱と、縦方向及び横方向の一方に伸び、隣接する２本の柱を連結する第１の大梁と、縦方向及び横方向の他方に伸び、隣接する２本の柱を連結する第２の大梁とを含む。前記第１の大梁の頂部は中央部分及び２つの端部分を有し、各端部分は前記中央部分から外方に向けて梁高さが漸増するように傾斜しており、前記第２の大梁の頂部は前記第１の大梁の頂部と同じ高さに位置しかつほぼ水平である。
【０００９】
前記第１の大梁の梁高さが該第１の大梁の中央部から外方に向けて漸増することにより、前記第１の大梁の２つの端部のそれぞれは比較的大きな曲げ強度を備えることができる。これにより建物の耐震性の向上を図ることができる。また、前記第１の大梁の頂部の一方の端部分は建物の採光部を形成することができ、これにより建物は所望の大きさの採光面積を確保することができる。前記第１の大梁の頂部の各端部分が傾斜していることにより、前記採光部を経て一定の方向から光を取り入れることができる。
【００１０】
前記第２の大梁は前記第１の大梁と同じ梁高さを有することができる。これにより前記第２の大梁は比較的高い梁高さを備えることができるため、前記第２の大梁によって連結される前記柱の間隔を比較的大きくすることができる。これにより前記柱の本数を低減することができ、建物を経済的に建てることができる。前記第１及び前記第２の大梁の各底部は水平にすることができ、これにより床から前記第１及び前記第２の大梁の各底部までの高さを高くすることができる。その結果、建物内により広い作業空間を確保することができ、作業の効率化を図ることができる。前記第１及び前記第２の大梁の各底部は、水平である上記の例に代え、端部分が傾斜していてもよい。前記建物の骨組は、前記第２の大梁を連結する少なくとも１本の小梁を含むことができ、前記小梁の頂部はその中央部分から外方に向けて梁高さが漸増するように傾斜する端部分を有する。
【００１１】
前記第１の大梁は上弦材及び下弦材と前記上弦材及び前記下弦材を連結する少なくとも１本の斜材とを含むことができ、前記上弦材は前記下弦材に平行な中央部分と該中央部分に対して傾斜する端部分とからなる。前記第２の大梁は水平な上弦材と該上弦材に平行な下弦材と前記上弦材及び前記下弦材を連結する少なくとも１本の斜材とを含むことができる。前記小梁は上弦材及び下弦材と前記上弦材及び前記下弦材を連結する少なくとも１本の斜材とを含むことができ、前記上弦材は、前記第１の大梁の上弦材と同様に、前記下弦材に平行な中央部分と該中央部分に対して傾斜する端部分とからなる。
【発明の効果】
【００１２】
本発明によれば、建物は所望の大きさの採光面積を確保することができ、前記第１の大梁の各端部は比較的高い梁高さを有する。したがって、建物の骨組は比較的大きな曲げ強度を有する。
【発明を実施するための最良の形態】
【００１３】
図１に示すように、建物の骨組１０は、平面上において縦方向及び横方向に間隔を置いて配置された４本の柱１２、すなわち矩形の頂点に位置するように配置された４本の柱１２と、横方向に伸び、隣接する２本の柱１２を連結する第１の大梁１４と、縦方向に伸び、隣接する２本の柱を連結する第２の大梁１６とを含む。図示の例では、４本の柱１２、第１の大梁１４及び第２の大梁１６からなるユニットが縦方向及び横方向に連続している。これにより比較的大きな建物内の空間を形成することができる。このユニットは、縦方向及び横方向に連続している図示の例に代え、縦方向及び横方向の一方に連続していてもよいし、連続していなくてもよい。建物の骨組１０は、第１の大梁１４が横方向に伸び、第２の大梁１６が縦方向に伸びる上記の例に代え、第１の大梁１４が縦方向に伸び、第２の大梁１６が横方向に伸びてもよい。
【００１４】
第１の大梁１４の頂部１８は中央部分２０及び２つの端部分２２を有し、各端部分２２は中央部分２０から外方に向けて梁高さが漸増するように傾斜している。第１の大梁１４の梁高さが該第１の大梁の中央部から外方に向けて漸増することによって、第１の大梁１４の各端部は比較的大きい曲げ強度を備えることができる。
【００１５】
また、第１の大梁１４の各端部が比較的大きな曲げ強度を有することによって、第１の大梁１４は、該第１の大梁の底部３２がハンチを形成しなくても、十分な曲げ強度を確保することができる。図示の例では、第１の大梁１４の底部３２は、水平であり、ハンチを形成していない。底部３２を水平にすることによって、床から底部３２までの高さを第１の大梁１４の全体に亘って比較的高くすることができる。これにより、建物内により広い作業空間を確保することができ、作業の効率化を図ることができる。なお、第１の大梁１４の底部３２は、水平である上記の例に代え、ハンチを形成するように端部分を傾斜させてもよい。
【００１６】
第１の大梁１４は、例えば、第１上弦材２４及び第１下弦材２６とそれぞれが第１上弦材２４及び第１下弦材２６を連結する複数の第１斜材２８とを含む。第１上弦材２４は第１下弦材２６に平行な中央部分２０と該中央部分に対して傾斜する端部分２２とからなる。第１の大梁１４は第１上弦材２４及び第１下弦材２６を連結する第１垂直材３０を含んでもよい。
【００１７】
第２の大梁１６の頂部３４はほぼ水平である。すなわち、水平でもよいし、雨水の排水のための勾配を設けるために若干傾斜させてもよい。また、第２の大梁１６の頂部３４は第１の大梁１４の頂部１８と同じ高さに位置する。第２の大梁１６の底部３６は、第１の大梁１４と同様、水平でもよいし、端部分が傾斜していてもよい。第２の大梁１６の梁高さは、第１の大梁１４と同じ梁高さとすることができる。これにより、第２の大梁１６は比較的高い梁高さを備えることができる。したがって、第２の大梁１６が連結する柱１２の間隔が一定であるとすれば、第２の大梁１６の軸線と直交する断面の断面積をより小さくすることができ、建物をより経済的に構築することができる。また、第２の大梁１６の前記断面積が一定であるとすれば、第２の大梁１６が連結する柱１２の間隔をより大きくすることができる。これにより、柱１２の本数を低減することができ、建物をより経済的に構築することができる。また、柱１２の本数を低減することによって、例えば、工場では、製品の搬送、機械の配置等を行うとき、柱１２による制約を減らすことができる。これにより作業空間を拡大し、作業者による作業の効率化を図ることができる。
【００１８】
第２の大梁１６は、例えば、水平な第２上弦材３８と該第２上弦材に平行な第２下弦材４０とそれぞれが第２上弦材３８及び第２下弦材４０を連結する複数の第２斜材４２とを含む。また、第２の大梁１６は第２上弦材３８及び第２下弦材４０を連結する第２垂直材４４を含んでもよい。
【００１９】
建物の骨組１０は、第２の大梁１６を連結する少なくとも１本の小梁４６を含むことができる。小梁４６の頂部４８は、第１の大梁１４と同様、中央部分５０から外方に向けて梁高さが漸増するように傾斜する端部分５２を有する。小梁４６は、図示の例では、第３上弦材５４及び第３下弦材５６と第３上弦材５４及び第３下弦材５６を連結する複数の第３斜材５８とを含む。第３上弦材５４は第３下弦材５６に平行な中央部分５０と該中央部分に対して傾斜する端部分５２とからなる。小梁４６は第３上弦材５４及び第３下弦材５６を連結する第３垂直材６０を含んでもよい。なお、建物の骨組１０は、第２の大梁１６を連結する小梁４６を含む上記の例に代え、第１の大梁１４を連結する小梁を含んでもよい。
【００２０】
図２に示すように、第１の大梁１４の頂部１８の一方の端部分２２’は建物の採光部６２を形成することができる。これにより、建物は所望の大きさの採光面積を確保することができる。図示の例では、一方の端部分２２’には、採光窓を有する屋根部材、透明又は半透明な屋根部材等の透光性の部材６４が取り付けられ、一方の端部分２２’を除く第１の大梁１４の頂部１８には屋根板６６が取り付けられている。第１の大梁１４の頂部１８の各端部分２２が傾斜していることによって、透光性の部材６４は一定の方向に向けられ、透光性の部材６４を経て一定の方向から光６８を取り入れることができる。このとき、屋根板６６によって他の方向からの光が遮断される。
【００２１】
図３に示す例では、建物の骨組１０は、隣接する２つの第１の大梁１４ａ、１４ｂ間の柱１２に、一方の第１の大梁１４ａの頂部１８ａの端部分２２ａを延長するように該端部分の傾斜方向に伸びる延長部材７０が取り付けられ、該延長部材と他方の第１の大梁１４ｂの頂部１８ｂとは連結部材７２で連結されている。連結部材７２は建物の採光部７４を形成する。連結部材７２の下端部は、他方の第１の大梁１４ｂの頂部１８ｂの中央部分２０ｂに固定されていてもよいし、端部分２２ｂに固定されていてもよい。
【００２２】
連結部材７２には、採光窓を有する壁部材、透明又は半透明な板部材等の透光性の部材７６が取り付けられている。透光性の部材７６は一定の方向に向いているため、透光性の部材７６を経て一定の方向から光７８を取り入れることができる。一方の第１の大梁１４ａの頂部１８ａと、延長部材７０と連結部材７２との間を除く他方の第１の大梁１４ｂの頂部１８ｂとには、第１屋根板８０が配置され、延長部材７０には第２屋根板８２が配置されている。第２屋根板８２があることによって、より多くの光を遮断することができる。このため、第２屋根板８２がない図２に示した例と比較して、取り入れる光の方向をさらに制限することができる。例えば、透光性の部材７６が北側に向けられている場合、第２屋根板８２によって直射日光を完全に遮断することができ、建物に直射日光が入ることはない。
【００２３】
図示の例において、第１の大梁１４の各端部は比較的高い梁高さを有する。したがって、建物の骨組１０は比較的大きい曲げ強度を有する。
【図面の簡単な説明】
【００２４】
【図１】本発明に係る建物の骨組の斜視図。
【図２】本発明に係る建物の骨組の正面図。
【図３】本発明の他の実施例における建物の骨組の正面図。
【図４】従来の建物の骨組の正面図。
【符号の説明】
【００２５】
１０    建物の骨組
１２    柱
１４    第１の大梁
１６    第２の大梁
１８    第１の大梁の頂部
２０    第１の大梁の頂部の中央部分
２２    第１の大梁の頂部の端部分
２４    第１上弦材
２６    第１下弦材
２８    第１斜材
３２    第１の大梁の底部
３４    第２の大梁の頂部
３６    第２の大梁の底部
３８    第２上弦材
４０    第２下弦材
４２    第２斜材
４６    小梁
４８    小梁の頂部
５０    小梁の頂部の中央部分
５２    小梁の頂部の端部分
５４    第３上弦材
５６    第３下弦材
５８    第３斜材
６２    採光部
【図１】
2007270504.tif 000003
【図２】
2007270504.tif 000004
【図３】
2007270504.tif 000005
【図４】
2007270504.tif 000006